(57)【特許請求の範囲】
【請求項１】
ボールネジナットの軸線方向端部に二以上のシール部材を軸線方向に多重に取付け且つ各シール部材のシールリップがボールネジ軸の外形に接触するボールネジ装置であって、ボールネジナットに最も近いシール部材を内側シール部材、内側シール部材に最も近いシール部材を外側シール部材とした場合、前記ボールネジナットの軸線方向端部の所定軸線方向端面の所定位置に形成され且つ内側シール部材を固定するための内側ネジ部材を螺合するナットネジ孔と、内側シール部材の前記ナットネジ孔に対向する位置に形成され且つ前記内側ネジ部材のネジ部を挿通し且つボールネジナット又はボールネジ軸の回転方向に長手な位相調整用内側挿通孔と、少なくとも内側シール部材の外側シール部材側端面の所定位置に形成され且つ外側シール部材を固定するための外側ネジ部材を螺合する内側ネジ孔と、外側シール部材の前記内側ネジ孔に対向する位置に形成され且つ前記外側ネジ部材のネジ部を挿通する外側挿通孔とを備え、前記外側挿通孔に外側ネジ部材のネジ部を挿通し且つ前記内側ネジ孔に外側ネジ部材を螺合して内側シール部材に外側シール部材を固定したときに内側シール部材の内側シールリップの内形と外側シール部材の外側シールリップの内形との位相差を内側シール部材の内側シールリップと外側シール部材の外側シールリップとの軸線方向距離及びボールネジ軸のボールネジ溝の条数及びリードに応じた所定位相差としたことを特徴とするボールネジ装置。
【請求項２】
前記外側シール部材のボールネジナットと反対側に更に外外側シール部材を取付ける場合、少なくとも外側シール部材の外外側シール部材側端面の所定位置に形成され且つ外外側シール部材を固定するための外外側ネジ部材を螺合する外側ネジ孔と、外外側シール部材の前記外側ネジ孔に対向する位置に形成され且つ前記外外側ネジ部材のネジ部を挿通する外外側挿通孔とを備え、前記外外側挿通孔に外外側ネジ部材のネジ部を挿通し且つ前記外側ネジ孔に外外側ネジ部材を螺合して外側シール部材に外外側シール部材を固定したときに外側シール部材の外側シールリップの内形と外外側シール部材の外外側シールリップの内形との位相差を外側シール部材の外側シールリップと外外側シール部材の外外側シールリップとの軸線方向距離及びボールネジ軸のボールネジ溝の条数及びリードに応じた所定位相差としたことを特徴とする請求項１に記載のボールネジ装置。
【請求項３】
前記内側シール部材の位相を調整するだけで、３枚のシールリップに対してシール性が向上することを特徴とする請求項２に記載のボールネジ装置。
【発明の詳細な説明】
【技術分野】
【０００１】
本発明は、ボールネジ装置に関するものであり、特にボールネジナットの軸線方向端部にシール部材を取付けて使用するボールネジ装置に好適なものである。
【背景技術】
【０００２】
ボールネジ装置は、ボールネジ軸に雄ボールネジ溝を形成すると共に、ボールネジナットに雌ボールネジ溝を形成し、それら雌雄ボールネジ溝間にボール（鋼球）を介装し、鋼球が転動することにより滑らかな回転−直動運動を可能とするものである。ボールと雌雄ボールネジ溝との間に異物が介入すると滑らかな回転−直動運動を確保できないので、例えばボールネジナットの軸線方向端部にシール部材を取付け、シール部材のシールリップを雄ボールネジ溝の内部を含めてボールネジ軸の外形に接触させ、もって異物の侵入を防止するボールネジ装置もある。下記特許文献１では、ボールネジナットの軸線方向端部に二以上のシール部材を多重に取付けるボールネジ装置が記載されている。また、この特許文献１には、例えば薄板状のシール部材を二枚、軸線方向に多重に取付ける場合、各シール部材のシールリップ位置でのボールネジ軸のボールネジ溝は位相がずれているので、夫々の位相に合わせて各シール部材をボールネジナットに固定することも記載されている。
【先行技術文献】
【特許文献】
【０００３】
【特許文献１】特開２００２−３６４７２６号公報
【発明の概要】
【発明が解決しようとする課題】
【０００４】
ところで、前記特許文献１に記載されるボールネジ装置では、シール部材自体のボールネジ軸又はボールネジナットに対する回転方向への位相調整ができない。例えばボールネジナットの軸線方向所定端面にシール部材を取付ける場合、ボールネジナットの軸線方向所定端面に取付けられたシール部材のシールリップとボールネジ軸のボールネジ溝との位相は設計上一定であるが、実質的には製造誤差などによって両者の位相がずれていることもある。このような場合にボールネジ軸の外形とシール部材のシールリップとの良好な接触を得るためには、シール部材自体のボールネジ軸又はボールネジナットに対する位相調整が必要となる。
【０００５】
シール部材自体の回転方向への位相調整は、例えばシール部材を取付対象に取付けるためのネジ部材のネジ部を挿通する挿通孔を回転方向に長孔化（長手化）すればよい。しかしながら、二以上のシール部材をボールネジナットの軸線方向端部に多重に取付ける場合、単に全てのシール部材のネジ部材挿通孔を長孔化したのでは、全てのシール部材を個々に位相調整しなければならず、面倒なだけでなく、各シール部材が確実にシール効果を発揮しているか否かを判定しにくい。例えば、薄板状のシール部材を二枚取付ける場合、ボールネジナットに接触するシール部材を内側シール部材、内側シール部材の直近のシール部材を外側シール部材とすると、内側シール部材のシール効果を確認しながら当該内側シール部材の位相調整を行った後、外側シール部材のシール効果を確認しながら当該外側シール部材の位相調整をしようとしても、そのシール効果は外側シール部材のシール効果なのか内側シール部材のシール効果によるものなのかを判定できない。
【０００６】
本発明は、上記のような問題点に着目してなされたものであり、二以上のシール部材をボールネジナットの軸線方向端部に多重に取付ける場合であっても、ボールネジナットに最も近いシール部材の位相調整を行うだけで各シール部材のシール効果が確実に得られるボールネジ装置を提供することを目的とするものである。
【課題を解決するための手段】
【０００７】
上記課題を解決するために、本発明のボールネジ装置は、ボールネジナットの軸線方向端部に二以上のシール部材を軸線方向に多重に取付け且つ各シール部材のシールリップがボールネジ軸の外形に接触するボールネジ装置であって、ボールネジナットに最も近いシール部材を内側シール部材、内側シール部材に最も近いシール部材を外側シール部材とした場合、前記ボールネジナットの軸線方向端部の所定軸線方向端面の所定位置に形成され且つ内側シール部材を固定するための内側ネジ部材を螺合するナットネジ孔と、内側シール部材の前記ナットネジ孔に対向する位置に形成され且つ前記内側ネジ部材のネジ部を挿通し且つボールネジナット又はボールネジ軸の回転方向に長手な位相調整用内側挿通孔と、少なくとも内側シール部材の外側シール部材側端面の所定位置に形成され且つ外側シール部材を固定するための外側ネジ部材を螺合する内側ネジ孔と、外側シール部材の前記内側ネジ孔に対向する位置に形成され且つ前記外側ネジ部材のネジ部を挿通する外側挿通孔とを備え、前記外側挿通孔に外側ネジ部材のネジ部を挿通し且つ前記内側ネジ孔に外側ネジ部材を螺合して内側シール部材に外側シール部材を固定したときに内側シール部材の内側シールリップの内形と外側シール部材の外側シールリップの内形との位相差を内側シール部材の内側シールリップと外側シール部材の外側シールリップとの軸線方向距離及びボールネジ軸のボールネジ溝の条数及びリードに応じた所定位相差としたことを特徴とするものである。
【０００８】
また、前記外側シール部材のボールネジナットと反対側に更に外外側シール部材を取付ける場合、少なくとも外側シール部材の外外側シール部材側端面の所定位置に形成され且つ外外側シール部材を固定するための外外側ネジ部材を螺合する外側ネジ孔と、外外側シール部材の前記外側ネジ孔に対向する位置に形成され且つ前記外外側ネジ部材のネジ部を挿通する外外側挿通孔とを備え、前記外外側挿通孔に外外側ネジ部材のネジ部を挿通し且つ前記外側ネジ孔に外外側ネジ部材を螺合して外側シール部材に外外側シール部材を固定したときに外側シール部材の外側シールリップの内形と外外側シール部材の外外側シールリップの内形との位相差を外側シール部材の外側シールリップと外外側シール部材の外外側シールリップとの軸線方向距離及びボールネジ軸のボールネジ溝の条数及びリードに応じた所定位相差としたことを特徴とするものである。
【発明の効果】
【０００９】
而して、本発明のボールネジ装置によれば、ボールネジナットの軸線方向端部の所定軸線方向端面の所定位置にナットネジ孔を形成し、内側シール部材のナットネジ孔に対向する位置に位相調整用内側挿通孔を形成し、内側シール部材の外側シール部材側端面の所定位置に内側ネジ孔を形成し、外側シール部材の内側ネジ孔に対向する位置に外側挿通孔を形成し、外側挿通孔に外側ネジ部材のネジ部を挿通し且つ内側ネジ孔に外側ネジ部材を螺合して内側シール部材に外側シール部材を固定したときに内側シール部材の内側シールリップの内形と外側シール部材の外側シールリップの内形との位相差を内側シール部材の内側シールリップと外側シール部材の外側シールリップとの軸線方向距離及びボールネジ軸のボールネジ溝の条数及びリードに応じた所定位相差としたことにより、ボールネジナットに最も近い内側シール部材の位相を調整するだけで内側シール部材のシール効果も外側シール部材のシール効果も確実に得られる。
【００１０】
また、外側シール部材のボールネジナットと反対側に更に外外側シール部材を取付ける場合、外側シール部材の外外側シール部材側端面の所定位置に外側ネジ孔を形成し、外外側シール部材の外側ネジ孔に対向する位置に外外側挿通孔を形成し、外外側挿通孔に外外側ネジ部材のネジ部を挿通し且つ外側ネジ孔に外外側ネジ部材を螺合して外側シール部材に外外側シール部材を固定したときに外側シール部材の外側シールリップの内形と外外側シール部材の外外側シールリップの内形との位相差を外側シール部材の外側シールリップと外外側シール部材の外外側シールリップとの軸線方向距離及びボールネジ軸のボールネジ溝の条数及びリードに応じた所定位相差としたことにより、ボールネジナットに最も近い内側シール部材の位相を調整するだけで内側シール部材のシール効果も外側シール部材のシール効果も外外側シール部材のシール効果も確実に得られる。また、これを順次繰り返すことで、二以上のシール部材をボールネジナットに多重に取付ける場合であっても、ボールネジナットに最も近い内側シール部材の位相調整を行うだけで各シール部材のシール効果が確実に得られる。
【図面の簡単な説明】
【００１１】
【図１】本発明のボールネジ装置の一実施形態を示す縦断面図である。
【図２】図１のボールネジ装置のボールネジナットの軸線方向端面の軸線方向矢視図である。
【図３】図２のボールネジナットの軸線方向端面に内側シール部材を取付けた状態の軸線方向矢視図である。
【図４】図３の内側シール部材に外側シール部材を取付けた状態の軸線方向矢視図である。
【発明を実施するための形態】
【００１２】
次に、本発明のボールネジ装置の一実施形態について図面を参照しながら説明する。
図１は、本実施形態のボールネジ装置の説明図である。図中の符号１はボールネジ軸、符号２はボールネジナットであり、ボールネジ軸１には雄ボールネジ溝が、ボールネジナット２には雌ボールネジ溝が形成され、雌雄ボールネジ溝の間に複数のボール３が介装されている。例えばボールネジナット２の回転を規制しながらボールネジ軸１を回転するとボールネジナット２が直動する。このとき、雌雄ボールネジ溝間に介装されているボール３が転動するため、滑らかな回転−直動運動が達成される。
【００１３】
本実施形態では、ボールネジナット２の軸線方向図示右端部の図示右端面に二つ（二枚）の薄板状シール部材４、５を多重に取付ける。このうち、ボールネジナット２に最も近いシール部材４、即ち図示左方のシール部材４を内側シール部材４と定義し、内側シール部材４に最も近いシール部材５、即ち図示中央のシール部材５を外側シール部材と定義し、後述するように外側シール部材５のボールネジナット２と反対側に更にシール部材６を取付ける場合、そのシール部材６を外外側シール部材６と定義する。また、本実施形態では、内側シール部材４は内側ネジ部材７でボールネジナット２に固定し、外側シール部材５は外側ネジ部材８で内側シール部材４に固定し、外外側シール部材６は外外側ネジ部材９で外側シール部材５に固定する。また、内側シール部材４には内側シールリップ１０が形成され、外側シール部材５には外側シールリップ１１が形成され、外外側シール部材６には外外側シールリップ１２が形成され、夫々のシール部材４〜６の全てのシールリップ１０〜１２がボールネジ軸１の外形に接触してシール効果を発生する。
【００１４】
図２は、前記内側シール部材４をボールネジナット２に固定するために、ボールネジナット２の図１に示す右端面に形成されたナットネジ孔１３の軸線方向矢視図である。本実施形態では、ナットネジ孔１３は、図２の図示上方及び右下方及び左下方の３カ所に等間隔に形成されている。
図３は、前記ナットネジ孔１３に内側ネジ部材７を螺合してボールネジナット２に内側シール部材４を固定した状態の軸線方向矢視図である。内側シール部材４のうち、前記ナットネジ孔１３に対向する位置には、内側ネジ部材７のネジ部を挿通し且つ内側シール部材４の回転方向への位相を調整するためにボールネジナット２又はボールネジ軸１の回転方向に長手な位相調整用内側挿通孔１４が計３つ形成されている。また、この内側シール部材４には、少なくとも図１の外側シール部材５側端面、即ち図３の手前側の端面に、外側シール部材５を内側シール部材４に固定するための内側ネジ孔１５が形成されている。少なくとも外側シール部材５側端面としたのは、内側ネジ孔１５がボールネジナット２側端面まで貫通していてもよいためであり、しかしながら外側シール部材５を内側シール部材４に固定するための内側ネジ孔１５であるから、内側シール部材４の外側シール部材５側端面に開口していることは必須である。本実施形態では、内側ネジ孔１５は、図３の図示下方及び右上方及び左上方の３カ所に等間隔に形成されている。
【００１５】
図４は、前記内側ネジ孔１５に外側ネジ部材８を螺合して内側シール部材４に外側シール部材５を固定した状態の軸線方向矢視図である。外側シール部材５のうち、前記内側ネジ孔１５に対向する位置には、外側ネジ部材８のネジ部を挿通するための外側挿通孔１６が計３つ形成されている。また、この外側シール部材５には、前記内側ネジ部材７に対向する位置に、当該内側ネジ部材７の頭部を収納する、或いは当該内側ネジ部材７を操作するための外側貫通孔１７が開設されている。
【００１６】
本実施形態では、前記外側挿通孔１６に外側ネジ部材８のネジ部を挿通し且つ内側ネジ孔１５に外側ネジ部材８を螺合して内側シール部材４に外側シール部材５を固定したときに内側シール部材４の内側シールリップ１０の内形と外側シール部材５の外側シールリップ１１の内形との位相差を、内側シール部材４の内側シールリップ１０と外側シール部材５の外側シールリップ１１との軸線方向距離及びボールネジ軸１のボールネジ溝の条数及びリードに応じた所定位相差とした。例えば、ボールネジ軸１のボールネジ溝の条数が１でリードがＬ、内側シール部材４の内側シールリップ１０と外側シール部材５の外側シールリップ１１との軸線方向距離がｘである場合、内側シール部材４の内側シールリップ１０の内形と外側シール部材５の外側シールリップ１１の内形との位相差φは、φ＝（ｘ／Ｌ）×３６０°で表れる。
【００１７】
このように外側挿通孔１６に外側ネジ部材８のネジ部を挿通し且つ内側ネジ孔１５に外側ネジ部材８を螺合して内側シール部材４に外側シール部材５を固定したときの内側シール部材４の内側シールリップ１０の内形と外側シール部材５の外側シールリップ１１の内形との位相差を規定することにより、ボールネジナット２に最も近い内側シール部材４の位相を調整するだけで内側シール部材４のシール効果も外側シール部材５のシール効果も確実に得られる。
【００１８】
また、図１に二点鎖線で示すように、外側シール部材５のボールネジナット２と反対側に更に外外側シール部材６を取付ける場合、外側シール部材５の外外側シール部材６側端面の所定位置に外側ネジ孔を形成し、外外側シール部材６の外側ネジ孔に対向する位置に外外側挿通孔を形成し、外外側挿通孔に外外側ネジ部材９のネジ部を挿通し且つ外側ネジ孔に外外側ネジ部材９を螺合して外側シール部材５に外外側シール部材６を固定したときに外側シール部材５の外側シールリップ１１の内形と外外側シール部材６の外外側シールリップ１２の内形との位相差を外側シール部材５の外側シールリップ１１と外外側シール部材６の外外側シールリップ１２との軸線方向距離及びボールネジ軸１のボールネジ溝の条数及びリードに応じた所定位相差とすれば、ボールネジナット２に最も近い内側シール部材４の位相を調整するだけで内側シール部材４のシール効果も外側シール部材５のシール効果も外外側シール部材６のシール効果も確実に得られる。また、これを順次繰り返すことで、二以上のシール部材をボールネジナット２に多重に取付ける場合であっても、ボールネジナット２に最も近い内側シール部材４の位相調整を行うだけで各シール部材のシール効果が確実に得られる。
【００１９】
なお、前記実施形態では、ボールネジナット２に内側シール部材４を直接取付け、内側シール部材４に外側シール部材５を直接取付け、外側シール部材５に外外側シール部材６を直接取付けているが、夫々の間には、シール部材以外の部材が介装されていてもよく、例えばシール部材を保持するための金属製薄板材などから構成される保持部材などを介装してもよい。何れの場合も、ボールネジナット２に最も近いシール部材を内側シール部材４、内側シール部材４に最も近いシール部材を外側シール部材５、外側シール部材５のボールネジナット２と反対側に取付けられるシール部材を外外側シール部材６とすれば、全てのシール部材に本発明が適用できる。
【符号の説明】
【００２０】
１はボールネジ軸
２はボールネジナット
３はボール
４は内側シール部材
５は外側シール部材
６は外外側シール部材
７は内側ネジ部材
８は外側ネジ部材
９は外外側ネジ部材
１０は内側シールリップ
１１は外側シールリップ
１２は外外側シールリップ
１３はナットネジ孔
１４は位相調整用内側挿通孔
１５は内側ネジ孔
１６は外側挿通孔
１７は外側貫通孔
【図１】
0005573620.tif 000002
【図２】
0005573620.tif 000003
【図３】
0005573620.tif 000004
【図４】
0005573620.tif 000005